(57)【要約】【課題】携帯情報端末に対してコンテンツを配信すること。【解決手段】携帯情報端末１３０と、携帯情報端末１３０と無線通信回線１５０を介して通信接続されるコンテンツ配信装置１１０とを備え、携帯情報端末１３０は、当該携帯情報端末１３０のユーザの状態の情報を示すデータを、コンテンツ配信装置１１０へ送信する状態情報データ送信部を有し、コンテンツ配信装置１１０は、携帯情報端末１３０のユーザの状態の情報を示すデータを、携帯情報端末１３０から受信する状態情報データ受信部と、状態情報データ受信部が受信したデータによって示される携帯情報端末１３０のユーザの状態の情報の内容のパターンに応じて、携帯情報端末１３０へ配信すべきコンテンツを選択するコンテンツ選択部と、コンテンツ選択部が選択したコンテンツを示すデータを、携帯情報端末１３０へ配信するコンテンツデータ配信部とを有する。【選択図】図１
2012138728.tif 000002
【特許請求の範囲】
【請求項１】
携帯情報端末に対してコンテンツを配信するコンテンツ配信システムであって、
無線通信回線に通信接続される携帯情報端末と、
前記携帯情報端末と無線通信回線を介して通信接続されるコンテンツ配信装置と
を備え、
前記携帯情報端末は、
当該携帯情報端末のユーザの状態の情報を示すデータを、前記コンテンツ配信装置へ送信する状態情報データ送信部
を有し、
前記コンテンツ配信装置は、
前記携帯情報端末のユーザの状態の情報を示すデータを、前記携帯情報端末から受信する状態情報データ受信部と、
前記状態情報データ受信部が受信したデータによって示される前記携帯情報端末のユーザの状態の情報の内容のパターンに応じて、前記携帯情報端末へ配信すべきコンテンツを選択するコンテンツ選択部と、
前記コンテンツ選択部が選択したコンテンツを示すデータを、前記携帯情報端末へ配信するコンテンツデータ配信部と
を有するコンテンツ配信システム。
【請求項２】
前記携帯情報端末は、
コンテンツを示すデータを、前記コンテンツ配信装置から受信するコンテンツデータ受信部と、
前記コンテンツデータ受信部が受信したデータによって示されるコンテンツを、当該携帯情報端末に適用するコンテンツ適用部と
を更に有する請求項１に記載のコンテンツ配信システム。
【請求項３】
前記携帯情報端末は、
当該携帯情報端末のユーザの状態の情報を取得する状態情報取得部
を更に有し、
前記状態情報データ送信部は、前記状態情報取得部が取得した当該携帯情報端末のユーザの状態の情報を示すデータを、前記コンテンツ配信装置へ送信する
請求項１又は２に記載のコンテンツ配信システム。
【請求項４】
前記コンテンツ配信装置は、
前記携帯情報端末のユーザの状態の情報の内容のパターン別に、前記携帯情報端末へ配信すべきコンテンツを対応付けて格納するコンテンツ格納部
を更に有し、
前記コンテンツ選択部は、前記コンテンツ格納部に格納されているコンテンツのうち、前記状態情報データ受信部が受信したデータによって示される前記携帯情報端末のユーザの状態の情報の内容のパターンと対応付けられているコンテンツを、前記携帯情報端末へ配信すべきコンテンツとして選択する
請求項１から３のいずれか一項に記載のコンテンツ配信システム。
【請求項５】
無線通信回線に通信接続される携帯情報端末であって、
当該携帯情報端末のユーザの状態の情報を示すデータを、当該携帯情報端末と通信接続されるコンテンツ配信装置へ送信する状態情報データ送信部
を備える携帯情報端末。
【請求項６】
無線通信回線に通信接続される携帯情報端末の制御方法であって、
当該携帯情報端末のユーザの状態の情報を示すデータを、当該携帯情報端末と通信接続されるコンテンツ配信装置へ送信する状態情報データ送信段階
を備える制御方法。
【請求項７】
無線通信回線に通信接続される携帯情報端末用のプログラムであって、前記携帯情報端末を、
当該携帯情報端末のユーザの状態の情報を示すデータを、当該携帯情報端末と通信接続されるコンテンツ配信装置へ送信する状態情報データ送信部
として機能させるプログラム。
【請求項８】
無線通信回線に接続される携帯情報端末と無線通信回線を介して通信接続されるコンテンツ配信装置であって、
前記携帯情報端末のユーザの状態の情報を示すデータを、前記携帯情報端末から受信する状態情報データ受信部と、
前記状態情報データ受信部が受信したデータによって示される前記携帯情報端末のユーザの状態の情報の内容のパターンに応じて、前記携帯情報端末へ配信すべきコンテンツを選択するコンテンツ選択部と、
前記コンテンツ選択部が選択したコンテンツを示すデータを、前記携帯情報端末へ配信するコンテンツデータ配信部と
を備えるコンテンツ配信装置。
【請求項９】
無線通信回線に接続される携帯情報端末と無線通信回線を介して通信接続されるコンテンツ配信装置を制御する制御方法であって、
前記携帯情報端末のユーザの状態の情報を示すデータを、前記携帯情報端末から受信する状態情報データ受信段階と、
前記状態情報データ受信段階において受信されたデータによって示される前記携帯情報端末のユーザの状態の情報の内容のパターンに応じて、前記携帯情報端末へ配信すべきコンテンツを選択するコンテンツ選択段階と、
前記コンテンツ選択段階において選択されたコンテンツを示すデータを、前記携帯情報端末へ配信するコンテンツデータ配信段階と
を備える制御方法。
【請求項１０】
無線通信回線に接続される携帯情報端末と無線通信回線を介して通信接続されるコンテンツ配信装置用のプログラムであって、前記コンテンツ配信装置を、
前記携帯情報端末のユーザの状態の情報を示すデータを、前記携帯情報端末から受信する状態情報データ受信部、
前記状態情報データ受信部が受信したデータによって示される前記携帯情報端末のユーザの状態の情報の内容のパターンに応じて、前記携帯情報端末へ配信すべきコンテンツを選択するコンテンツ選択部、
前記コンテンツ選択部が選択したコンテンツを示すデータを、前記携帯情報端末へ配信するコンテンツデータ配信部
として機能させるプログラム。
【発明の詳細な説明】
【技術分野】
【０００１】
本発明は、コンテンツ配信システム、携帯情報端末、コンテンツ配信装置、制御方法、及びプログラムに関する。特に、本発明は、携帯情報端末に対してコンテンツを配信するコンテンツ配信システム、無線通信回線に通信接続される携帯情報端末、当該携帯情報端末と無線通信回線を介して通信接続されるコンテンツ配信装置、当該携帯情報端末及びコンテンツ配信装置を制御する制御方法、並びに当該携帯情報端末及びコンテンツ配信装置用のプログラムに関する。
【背景技術】
【０００２】
近年、携帯電話のユーザは、携帯電話を買い換えるサイクルを長期化する傾向にある。そのため、携帯電話向けのコンテンツ配信事業者は、同じ携帯電話を使用していても飽きがこないようにするために、常に最新のコンテンツを提供している。そして、ユーザは、コンテンツ事業者によって配信されているコンテンツの中から所望のコンテンツをダウンロードして、自分の携帯電話に設定して利用している。
【０００３】
このような携帯電話のコンテンツとしては、様々な種類のものが存在する。例えば、携帯電話の見た目を変更するコンテンツとしては、待受画面用の画像や、筐体に配されたＬＥＤ（Ｌｉｇｈｔ  Ｅｍｉｔｔｉｎｇ  Ｄｉｏｄｅ）のイルミネーションの設定等が存在する。
【０００４】
しかしながら、携帯電話のメモリの容量に限りがある。そのため、選別した種類を搭載している。ユーザは限られたコンテンツの中で選択しなくてはならない課題が存在する。また、気分によって待受画面を設定したいが、毎日設定を変えるのは面倒であり自動でかわいらしくコーディネートしてほしいという要求がある。
【０００５】
このような問題に対する技術としては、ユーザが特に意識してカスタマイズのための操作等を行わなくても、携帯型端末を様々なバリエーションにカスタマイズ可能とする携帯型情報装置が知られている（例えば、特許文献１参照。）。
【０００６】
特許文献１に記載の携帯型情報装置においては、ユーザ関連情報に応じ表示画像が変更制御されるため、ユーザが特に意識してカスタマイズのための操作等を行わなくても、日々様々なバリエーションにカスタマイズされた携帯型端末を実現可能となる。
【先行技術文献】
【特許文献】
【０００７】
【特許文献１】特開２００５−１５１２７１号公報
【発明の概要】
【発明が解決しようとする課題】
【０００８】
特許文献１に記載の携帯型情報装置は、カスタマイズのためのコンテンツのデータを携帯型情報装置内に記憶させておくことになる。しかしながら、このような携帯型情報装置は、データ記憶容量が限られており、多数のコンテンツのデータや大容量のコンテンツのデータを記憶させておくことはできない。そのため、特許文献１に記載の携帯型情報装置は、限られたコンテンツのデータしか利用することができず、日々様々なバリエーションにカスタマイズされた携帯型端末を実現するという本来の目的を十分に達成することができない。
【課題を解決するための手段】
【０００９】
上記課題を解決するために、本発明の第１の形態によると、携帯情報端末に対してコンテンツを配信するコンテンツ配信システムであって、無線通信回線に通信接続される携帯情報端末と、携帯情報端末と無線通信回線を介して通信接続されるコンテンツ配信装置とを備え、携帯情報端末は、当該携帯情報端末のユーザの状態の情報を示すデータを、コンテンツ配信装置へ送信する状態情報データ送信部を有し、コンテンツ配信装置は、携帯情報端末のユーザの状態の情報を示すデータを、携帯情報端末から受信する状態情報データ受信部と、状態情報データ受信部が受信したデータによって示される携帯情報端末のユーザの状態の情報の内容のパターンに応じて、携帯情報端末へ配信すべきコンテンツを選択するコンテンツ選択部と、コンテンツ選択部が選択したコンテンツを示すデータを、携帯情報端末へ配信するコンテンツデータ配信部とを有する。
【００１０】
本発明の第２の形態によると、無線通信回線に通信接続される携帯情報端末であって、当該携帯情報端末のユーザの状態の情報を示すデータを、当該携帯情報端末と通信接続されるコンテンツ配信装置へ送信する状態情報データ送信部を備える。
【００１１】
本発明の第３の形態によると、無線通信回線に通信接続される携帯情報端末の制御方法であって、当該携帯情報端末のユーザの状態の情報を示すデータを、当該携帯情報端末と通信接続されるコンテンツ配信装置へ送信する状態情報データ送信段階を備える。
【００１２】
本発明の第４の形態によると、無線通信回線に通信接続される携帯情報端末用のプログラムであって、携帯情報端末を、当該携帯情報端末のユーザの状態の情報を示すデータを、当該携帯情報端末と通信接続されるコンテンツ配信装置へ送信する状態情報データ送信部として機能させる。
【００１３】
本発明の第５の形態によると、無線通信回線に接続される携帯情報端末と無線通信回線を介して通信接続されるコンテンツ配信装置であって、携帯情報端末のユーザの状態の情報を示すデータを、携帯情報端末から受信する状態情報データ受信部と、状態情報データ受信部が受信したデータによって示される携帯情報端末のユーザの状態の情報の内容のパターンに応じて、携帯情報端末へ配信すべきコンテンツを選択するコンテンツ選択部と、コンテンツ選択部が選択したコンテンツを示すデータを、携帯情報端末へ配信するコンテンツデータ配信部とを備える。
【００１４】
本発明の第６の形態によると、無線通信回線に接続される携帯情報端末と無線通信回線を介して通信接続されるコンテンツ配信装置を制御する制御方法であって、携帯情報端末のユーザの状態の情報を示すデータを、携帯情報端末から受信する状態情報データ受信段階と、状態情報データ受信段階において受信されたデータによって示される携帯情報端末のユーザの状態の情報の内容のパターンに応じて、携帯情報端末へ配信すべきコンテンツを選択するコンテンツ選択段階と、コンテンツ選択段階において選択されたコンテンツを示すデータを、携帯情報端末へ配信するコンテンツデータ配信段階とを備える。
【００１５】
本発明の第７の形態によると、無線通信回線に接続される携帯情報端末と無線通信回線を介して通信接続されるコンテンツ配信装置用のプログラムであって、コンテンツ配信装置を、携帯情報端末のユーザの状態の情報を示すデータを、携帯情報端末から受信する状態情報データ受信部、状態情報データ受信部が受信したデータによって示される携帯情報端末のユーザの状態の情報の内容のパターンに応じて、携帯情報端末へ配信すべきコンテンツを選択するコンテンツ選択部、コンテンツ選択部が選択したコンテンツを示すデータを、携帯情報端末へ配信するコンテンツデータ配信部として機能させる。
【００１６】
なおまた、上記のように発明の概要は、本発明の必要な特徴の全てを列挙したものではなく、これらの特徴群のサブコンビネーションもまた、発明となり得る。
【発明の効果】
【００１７】
以上の説明から明らかなように、この発明においては、携帯情報端末と無線通信回線を介して通信接続されるコンテンツ配信装置が、携帯情報端末のユーザの状態の情報を示すデータを、携帯情報端末から受信して、携帯情報端末のユーザの状態の情報の内容のパターンに応じて、携帯情報端末へ配信すべきコンテンツを選択して、そのコンテンツを示すデータを、携帯情報端末へ配信するようにした。このようにして、この発明においては、携帯情報端末のユーザの状態に応じたコンテンツが、そのユーザの携帯情報端末に自動的に配信される。そのため、携帯情報端末のユーザは、飽きることなく快適なコンテンツを使用することができる。
【図面の簡単な説明】
【００１８】
【図１】一実施形態に係るコンテンツ配信システム１００の利用環境の一例を示す図である。
【図２】コンテンツ配信装置１１０のブロック構成の一例を示す図である。
【図３】携帯情報端末１３０のブロック構成の一例を示す図である。
【図４】コンテンツ格納部１１４に格納されているデータの一例をテーブル形式で示す図である。
【図５】コンテンツ配信装置１１０、及び携帯情報端末１３０の動作シーケンスの一例を示す図である。
【図６】コンテンツ配信装置１１０をコンピュータ等の電子情報処理装置で構成した場合のハードウェア構成の一例を示す図である。
【発明を実施するための形態】
【００１９】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００２０】
図１は、一実施形態に係るコンテンツ配信システム１００の利用環境の一例を示す。コンテンツ配信システム１００は、携帯情報端末１３０に対してコンテンツを配信するシステムである。
【００２１】
コンテンツ配信システム１００は、コンテンツ配信装置１１０、複数の携帯情報端末１３０ａ、ｂ、ｃ、・・・（以下、携帯情報端末１３０と総称する。）、及び通信回線１５０を備える。なおまた、通信回線１５０は、インターネット等のコンピュータネットワーク、通信事業者のコアネットワーク、及び種々のローカルネットワークを含む。
【００２２】
コンテンツ配信装置１１０は、通信回線１５０において、携帯情報端末１３０に対し、自身の持っている機能やデータを提供するコンピュータである。
【００２３】
携帯情報端末１３０は、入力用ボタン、スピーカー、デジタルカメラ、及び複数のＬＥＤを具備している。入力用ボタンは、暗い場所でも見やすいように光るようになっている。ＬＥＤは、携帯情報端末１３０の筐体の外側等に配されている。
【００２４】
なおまた、本実施形態では、説明が煩雑になることを防ぐことを目的として、コンテンツ配信システム１００が一のコンテンツ配信装置１１０を備える構成について説明したが、コンテンツ配信システム１００は、複数のコンテンツ配信装置１１０を備えてよい。
【００２５】
図２は、コンテンツ配信装置１１０のブロック構成の一例を示す。コンテンツ配信装置１１０は、状態情報データ受信部１１１、コンテンツ選択部１１２、コンテンツデータ配信部１１３、及びコンテンツ格納部１１４を有する。以下に、各構成要素の機能及び動作を説明する。
【００２６】
状態情報データ受信部１１１は、携帯情報端末１３０のユーザの状態の情報を示すデータを、携帯情報端末１３０から受信する。
【００２７】
コンテンツ選択部１１２は、状態情報データ受信部１１１が受信したデータによって示される携帯情報端末１３０のユーザの状態の情報の内容のパターンに応じて、携帯情報端末１３０へ配信すべきコンテンツを選択する。より具体的に説明すると、コンテンツ選択部１１２は、コンテンツ格納部１１４に格納されているコンテンツのうち、状態情報データ受信部１１１が受信したデータによって示される携帯情報端末１３０のユーザの状態の情報の内容のパターンと対応付けられているコンテンツを、携帯情報端末１３０へ配信すべきコンテンツとして選択する。
【００２８】
コンテンツ配信部１１３は、コンテンツ選択部１１２が選択したコンテンツを示すデータを、携帯情報端末１３０へ配信する。
【００２９】
コンテンツ格納部１１４は、携帯情報端末１３０のユーザの状態の情報の内容のパターン別に、携帯情報端末１３０へ配信すべきコンテンツを対応付けて格納している。
【００３０】
図３は、携帯情報端末１３０のブロック構成の一例を示す。携帯情報端末１３０は、状態情報取得部１３１、状態情報データ送信部１３２、コンテンツデータ受信部１３３、コンテンツ適用部１３４、及びコンテンツ格納部１３５を有する。以下に、各構成要素の機能及び動作を説明する。
【００３１】
状態情報取得部１３１は、携帯情報端末１３０のユーザの状態の情報を取得する。
【００３２】
状態情報データ送信部１３２は、携帯情報端末１３０のユーザの状態の情報を示すデータを、コンテンツ配信装置１１０へ送信する。より具体的に説明すると、状態情報データ送信部１３２は、状態情報取得部１３１が取得した携帯情報端末１３０のユーザの状態の情報を示すデータを、コンテンツ配信装置１１０へ送信する。
【００３３】
コンテンツデータ受信部１３３は、コンテンツを示すデータを、コンテンツ配信装置１１０から受信する。より具体的に説明すると、コンテンツデータ受信部１３３は、コンテンツを示すデータを、コンテンツ配信装置１１０から受信すると、そのデータをコンテンツ格納部１３５へ格納する。
【００３４】
コンテンツ適用部１３４は、コンテンツデータ受信部１３２が受信したデータによって示されるコンテンツを、携帯情報端末１３０に適用する。より具体的に説明すると、コンテンツ適用部１３４は、コンテンツデータ受信部１３２が受信したデータによって示されるコンテンツを、コンテンツ格納部１３５から読み出して、携帯情報端末１３０に適用する。
【００３５】
図４は、コンテンツ格納部１１４に格納されているデータの一例をテーブル形式で示す。ユーザ情報のうち、地域情報からユーザの住む場所の天気、季節が判明する。季節は春、夏、秋、冬を持ち、天気は晴れ、曇り、雨を持つ。この要素からマトリックスを構成し、ユーザの気候にマッチしたコンテンツを提供する。さらに優先度１として服装をカメラで撮影したときの色情報に応じたコンテンツを用意しており、さらに優先度２としてユーザの誕生日に応じたコンテンツを用意することとする。
【００３６】
図５は、コンテンツ配信装置１１０、及び携帯情報端末１３０の動作シーケンスの一例を示す。ユーザは、携帯情報端末１３０のコンテンツを入手するにあたり、携帯情報端末１３０のボタンを用いて、自分の誕生日や居住地等の情報を入力する。また、ユーザは、携帯情報端末１３０のコンテンツを入手するにあたり、携帯情報端末１３０のデジタルカメラを用いて、自分の着衣を撮影する。携帯情報端末１３０の状態情報取得部１３１は、ボタンを用いて入力された情報や、デジタルカメラによって撮像された画像を、携帯情報端末１３０のユーザの状態の情報として取得する（Ｓ１０１）。
【００３７】
そして、携帯情報端末１３０の状態情報データ送信部１３２は、携帯情報端末１３０のユーザの状態の情報を示すデータを、コンテンツ配信装置１１０へ送信する（Ｓ１０２）。このようにして、コンテンツ配信装置１１０の状態情報データ受信部１１１は、携帯情報端末１３０のユーザの状態の情報を示すデータを、携帯情報端末１３０から受信する。
【００３８】
そして、コンテンツ配信装置１１０のコンテンツ選択部１１２は、コンテンツ格納部１１４に格納されているコンテンツのうち、状態情報データ受信部１１１が受信したデータによって示される携帯情報端末１３０のユーザの状態の情報の内容のパターンと対応付けられているコンテンツを、携帯情報端末１３０へ配信すべきコンテンツとして選択する（Ｓ１０３）。例えば、コンテンツ選択部１１２は、デジタルカメラによって撮像された画像から特徴色を抽出する。また、コンテンツ選択部１１２は、ユーザの居住地の天気を特定する。そして、コンテンツ選択部１１２は、図４に示すようなコンテンツ格納部１１４に格納されているコンテンツの中から、画像から抽出した特徴色と、ユーザの居住地の天気と、現在の季節から特定されるコンテンツを選択する。
【００３９】
そして、コンテンツ配信装置１１０のコンテンツ配信部１１３は、コンテンツ選択部１１２が選択したコンテンツを示すデータを、携帯情報端末１３０へ配信する（Ｓ１０４）。そして、携帯情報端末１３０のコンテンツデータ受信部１３３は、コンテンツを示すデータを、コンテンツ配信装置１１０から受信すると、そのデータをコンテンツ格納部１３５へ格納する。
【００４０】
そして、携帯情報端末１３０のコンテンツ適用部１３４は、コンテンツデータ受信部１３２が受信したデータによって示されるコンテンツを、コンテンツ格納部１３５から読み出して、携帯情報端末１３０に適用する（Ｓ１０５）。
【００４１】
このようにして、携帯情報端末１３０には、季節、ユーザの誕生日、居住地域の天気、ユーザの着衣の特徴色等に応じて自動的に選択されたコンテンツが設定されることになる。
【００４２】
以上説明したように、コンテンツ配信システム１００によっては、ユーザが意識することなくコンテンツが自動で設定され、飽きることなく快適なコンテンツが使用可能となる。また、コンテンツ配信システム１００によっては、ユーザが好んで選んだ服装をカメラで撮影することでより満足度の高いコンテンツを設定することが可能となる。
【００４３】
図６は、コンテンツ配信装置１１０をコンピュータ等の電子情報処理装置で構成した場合のハードウェア構成の一例を示す。コンテンツ配信装置１１０は、ＣＰＵ（Ｃｅｎｔｒａｌ  Ｐｒｏｃｅｓｓｉｎｇ  Ｕｎｉｔ）周辺部と、入出力部と、レガシー入出力部とを備える。ＣＰＵ周辺部は、ホスト・コントローラ８０１により相互に接続されるＣＰＵ８０２、ＲＡＭ（Ｒａｎｄｏｍ  Ａｃｃｅｓｓ  Ｍｅｍｏｒｙ）８０３、グラフィック・コントローラ８０４、及び表示装置８０５を有する。入出力部は、入出力コントローラ８０６によりホスト・コントローラ８０１に接続される通信インターフェース８０７、ハードディスクドライブ８０８、及びＣＤ−ＲＯＭ（Ｃｏｍｐａｃｔ  Ｄｉｓｋ  Ｒｅａｄ  Ｏｎｌｙ  Ｍｅｍｏｒｙ）ドライブ８０９を有する。レガシー入出力部は、入出力コントローラ８０６に接続されるＲＯＭ（Ｒｅａｄ  Ｏｎｌｙ  Ｍｅｍｏｒｙ）８１０、フレキシブルディスク・ドライブ８１１、及び入出力チップ８１２を有する。
【００４４】
ホスト・コントローラ８０１は、ＲＡＭ８０３と、高い転送レートでＲＡＭ８０３をアクセスするＣＰＵ８０２、及びグラフィック・コントローラ８０４とを接続する。ＣＰＵ８０２は、ＲＯＭ８１０、及びＲＡＭ８０３に格納されたプログラムに基づいて動作して、各部の制御をする。グラフィック・コントローラ８０４は、ＣＰＵ８０２等がＲＡＭ８０３内に設けたフレーム・バッファ上に生成する画像データを取得して、表示装置８０５上に表示させる。これに代えて、グラフィック・コントローラ８０４は、ＣＰＵ８０２等が生成する画像データを格納するフレーム・バッファを、内部に含んでもよい。
【００４５】
入出力コントローラ８０６は、ホスト・コントローラ８０１と、比較的高速な入出力装置であるハードディスクドライブ８０８、通信インターフェース８０７、ＣＤ−ＲＯＭドライブ８０９を接続する。ハードディスクドライブ８０８は、ＣＰＵ８０２が使用するプログラム、及びデータを格納する。通信インターフェース８０７は、ネットワーク通信装置８９１に接続してプログラム又はデータを送受信する。ＣＤ−ＲＯＭドライブ８０９は、ＣＤ−ＲＯＭ８９２からプログラム又はデータを読み取り、ＲＡＭ８０３を介してハードディスクドライブ８０８、及び通信インターフェース８０７に提供する。
【００４６】
入出力コントローラ８０６には、ＲＯＭ８１０と、フレキシブルディスク・ドライブ８１１、及び入出力チップ８１２の比較的低速な入出力装置とが接続される。ＲＯＭ８１０は、コンテンツ配信装置１１０が起動時に実行するブート・プログラム、あるいはコンテンツ配信装置１１０のハードウェアに依存するプログラム等を格納する。フレキシブルディスク・ドライブ８１１は、フレキシブルディスク８９３からプログラム又はデータを読み取り、ＲＡＭ８０３を介してハードディスクドライブ８０８、及び通信インターフェース８０７に提供する。入出力チップ８１２は、フレキシブルディスク・ドライブ８１１、あるいはパラレル・ポート、シリアル・ポート、キーボード・ポート、マウス・ポート等を介して各種の入出力装置を接続する。
【００４７】
ＣＰＵ８０２が実行するプログラムは、フレキシブルディスク８９３、ＣＤ−ＲＯＭ８９２、又はＩＣ（Ｉｎｔｅｇｒａｔｅｄ  Ｃｉｒｃｕｉｔ）カード等の記録媒体に格納されて利用者によって提供される。記録媒体に格納されたプログラムは圧縮されていても非圧縮であってもよい。プログラムは、記録媒体からハードディスクドライブ８０８にインストールされ、ＲＡＭ８０３に読み出されてＣＰＵ８０２により実行される。ＣＰＵ８０２により実行されるプログラムは、コンテンツ配信装置１１０を、図１から図５に関連して説明した状態情報データ受信部１１１、コンテンツ選択部１１２、コンテンツデータ配信部１１３、及びコンテンツ格納部１１４として機能させる。
【００４８】
以上に示したプログラムは、外部の記憶媒体に格納されてもよい。記憶媒体としては、フレキシブルディスク８９３、ＣＤ−ＲＯＭ８９２の他に、ＤＶＤ（Ｄｉｇｉｔａｌ  Ｖｅｒｓａｔｉｌｅ  Ｄｉｓｋ）又はＰＤ（Ｐｈａｓｅ  Ｄｉｓｋ）等の光学記録媒体、ＭＤ（ＭｉｎｉＤｉｓｋ）等の光磁気記録媒体、テープ媒体、ＩＣカード等の半導体メモリ等を用いることができる。また、専用通信ネットワークあるいはインターネットに接続されたサーバシステムに設けたハードディスク又はＲＡＭ等の記憶媒体を記録媒体として使用して、ネットワークを介したプログラムとして提供してもよい。
【００４９】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００５０】
１００  コンテンツ配信システム
１１０  コンテンツ配信装置
１１１  状態情報データ受信部
１１２  コンテンツ選択部
１１３  コンテンツデータ配信部
１１４  コンテンツ格納部
１３０  携帯情報端末
１３１  状態情報取得部
１３２  状態情報データ送信部
１３３  コンテンツデータ受信部
１３４  コンテンツ適用部
１３５  コンテンツ格納部
１５０  通信回線
８０１  ホスト・コントローラ
８０２  ＣＰＵ
８０３  ＲＡＭ
８０４  グラフィック・コントローラ
８０５  表示装置
８０６  入出力コントローラ
８０７  通信インターフェース
８０８  ハードディスクドライブ
８０９  ＣＤ−ＲＯＭドライブ
８１０  ＲＯＭ
８１１  フレキシブルディスク・ドライブ
８１２  入出力チップ
８９１  ネットワーク通信装置
８９２  ＣＤ−ＲＯＭ
８９３  フレキシブルディスク
【図１】
2012138728.tif 000003
【図２】
2012138728.tif 000004
【図３】
2012138728.tif 000005
【図４】
2012138728.tif 000006
【図５】
2012138728.tif 000007
【図６】
2012138728.tif 000008